Podtech/llm-jp-corpus-v4-ja_patent huggingface dataset:
(57)【要約】【課題】  使用した食品用器具を洗浄することなく簡便で清潔に再使用できるよう、剥離可能なフィルムで多重に被覆された層を設けた食品用器具を提供する。【解決手段】  食品用器具に、剥離可能なフィルム（１）で多重に被覆された層を設け、フィルム（１）に剥離を補助するタブ（２）を設けた、洗浄不要の食品用器具を特徴とする。【選択図】図１
2016112361.tif 000002
【特許請求の範囲】
【請求項１】
食品用器具の最外層に、剥離可能なフィルム（１）を３〜１０００枚重ねた層を設けたことを特徴とする食品用器具。
【請求項２】
請求項１記載の食品用器具における剥離可能なフィルム（１）に、剥離を補助するタブ部（２）を設けたことを特徴とする食品用器具。
【発明の詳細な説明】
【技術分野】
【０００１】  この発明は、剥離可能なフィルムで多重に被覆された層を有する、洗浄不要の食品用器具に関するものである。
【背景技術】
【０００２】  従来、食品用トレーにおいて廃棄時の簡便な清浄化を目的とした食品容器への着脱可能なフィルムがあった。
【先行技術文献】
【０００３】
【特許文献１】  実用新案登録公報第２５８４８５６号
【発明の概要】
【発明が解決しようとする課題】
【０００４】  これを食品用器具に応用する場合、次のような課題があった。
従来、同じ食品用器具を複数回清浄に使用するためには、使用する毎に洗浄する必要があった。そのため、清浄な面を露出させるための着脱可能なフィルムが１枚だけ被覆された食品用器具では、洗浄作業を省いて３回以上の複数回清潔に使用することができなかった。
本発明は、以上のような欠点をなくすためになされたものである。
【課題を解決するための手段】
【０００５】  食品用器具を、剥離可能なフィルム（１）で多重に被覆された層を設ける。また、必要に応じてフィルム（１）に剥離を補助するタブ（２）を設ける。
本発明は、以上の構成からなる剥離可能なフィルムで多重に被覆された層を有する食品用器具である。
【発明の効果】
【０００６】  前記食品用器具を使用した後に最外層のフィルム（１）を剥離することで食品用器具における清浄な面が露出できるため、複数回清潔に食品用器具を使用する場合においても、食品用器具を洗浄する作業が不要となる。また、前記食品用器具はフィルム（１）で多重に被覆されているので、被覆されたフィルム（１）の枚数の回数のフィルムの剥離および該食品用器具の清浄面の露出が可能となる。
【発明を実施するための形態】
【０００７】  以下、本発明を実施するための形態について実施例により説明するが、本発明はこれらに限定されるものではない。
【実施例１】
【０００８】  皿（３）に厚さ１０ｕｍの清浄なポリエチレン製の袋を被せ、袋内を脱気して袋と皿を密着させ、袋の口を閉じ、皿の底部に袋の口を固定した。この、皿に厚さ１０ｕｍのポリエチレン製の袋を被せ、袋内を脱気して袋と皿を密着させ、袋の口を閉じ、皿の底部に袋の口を固定した行為を同じ皿に対して３回行い、袋で３重に被覆された皿を作製した。前記、作製した皿を食品容器として使用し、その後、底部に固定していた袋の口を外し、袋の口を開け、食品容器として使用した際の付着物が内側になるように袋を裏返しながら剥がすことで最外層の袋を除去し、清浄面を露出させた。その後、前記と同様に食品容器として使用し、前記と同様に最外層の袋を除去する作業を２回繰り返した。
【実施例２】
【０００９】  箸（４）に厚さ１０ｕｍの清浄なポリエチレン製の袋を被せ、袋内を脱気して袋と箸を密着させ、袋の口を閉じ、箸の握り部の先端に袋の口を固定した。この、箸に厚さ１０ｕｍのポリエチレン製の袋を被せ、袋内を脱気して袋と箸を密着させ、袋の口を閉じ、箸の握り部の先端に袋の口を固定した行為を同じ箸に対して５回行い、袋で５重に被覆された箸を作製した。前記、作製した箸を食品用器具として使用し、その後、握り部の先端に固定していた袋の口を外し、袋の口を開け、食品用器具として使用した際の付着物が内側になるように袋を裏返しながら剥がすことで最外層の袋を除去し、清浄面を露出させた。その後、前記と同様に食品用器具として使用し、前記と同様に最外層の袋を除去する作業を４回繰り返した。
【実施例３】
【００１０】  コップ（５）に厚さ１０ｕｍの清浄なポリエチレン製の袋を被せ、袋内を脱気して袋とコップを密着させ、袋の口を閉じ、コップの底部に袋の口を固定した。この、コップに厚さ１０ｕｍのポリエチレン製の袋を被せ、袋内を脱気して袋と皿を密着させ、袋の口を閉じ、コップの底部に袋の口を固定した行為を同じコップに対して１０回行い、袋で１０重に被覆されたコップを作製した。前記、作製したコップを食品容器として使用し、その後、底部に固定していた袋の口を外し、袋の口を開け、食品容器として使用した際の付着物が内側になるように袋を裏返しながら剥がすことで最外層の袋を除去し、清浄面を露出させた。その後、前記と同様に食品容器として使用し、前記と同様に最外層の袋を除去する作業を９回繰り返した。
【実施例４】
【０００８】  皿（３）に厚さ１０ｕｍの清浄なポリエチレン製の袋を被せ、袋内を脱気して袋と皿を密着させ、袋の口を閉じ、皿の底部に袋の口を固定した。この、皿に厚さ１０ｕｍのポリエチレン製の袋を被せ、袋内を脱気して袋と皿を密着させ、袋の口を閉じ、皿の底部に袋の口を固定した行為を同じ皿に対して１００回行い、袋で１００重に被覆された皿を作製した。前記、作製した皿を食品容器として使用し、その後、底部に固定していた袋の口を外し、袋の口を開け、食品容器として使用した際の付着物が内側になるように袋を裏返しながら剥がすことで最外層の袋を除去し、清浄面を露出させた。その後、前記と同様に食品容器として使用し、前記と同様に最外層の袋を除去する作業を９９回繰り返した。
【図面の簡単な説明】
【００１１】
【図１】  実施例１の正面からの断面図である。
【図２】  実施例１の底面図である。
【図３】  実施例２の正面からの断面図である。
【図４】  実施例３の正面からの断面図である。
【図５】  実施例３の底面図である。
【符号の説明】
【００１２】  １  フィルム
２  タブ
３  皿
４  箸
５  コップ
【図１】
2016112361.tif 000003
【図２】
2016112361.tif 000004
【図３】
2016112361.tif 000005
【図４】
2016112361.tif 000006
【図５】
2016112361.tif 000007
(57)【要約】【課題】指が細くなり、手持ちの指輪が緩くなって使用できなくなった場合、使用者にはサイズ直しができないため、宝飾加工業者に依頼しなければならなかった。【解決の手段】指と指輪の間に生じた隙間空間を埋めるため、金属、または樹脂などの素材を使用し、略、半球形状、および三日月形状、および平帯形状などの指輪内径サイズ調節用具を設け、人によってそれぞれ異なる隙間空間に対応すべく複数のサイズを揃え、使用者は、その中からジャストフィットサイズを選び、自分で指輪の内周面に貼り付けて、指輪の内径のサイズの直しをすることを特徴とする指輪内径サイズ調節用具。【選択図】図１
2016112369.tif 000002
【特許請求の範囲】
【請求項１】
指輪の内周面に接着可能な、略、半球形状、および三日月形状、および平帯形状などの指輪内径サイズ調節用具を設け、接着物質などで指輪内周面に接着し、固定することを特徴とする指輪内径サイズ調節用具。
【発明の詳細な説明】
【技術分野】
【０００１】  本発明は、指輪の内径サイズを小さくするため、金属、または樹脂などの素材を、略、半球形状、および三日月形状、および平帯形状などに成形し、指輪の内周面に接着し、固定してサイズの直しを行う指輪内径サイズ調節用具に関するものである。
【背景技術】
【０００２】  従来、長年使用してきた指輪が、使用者の年齢の進行や、体調の変化などによって指が細り、ゆるくなって使用不可能になった場合には、業者に依頼して指輪の内径のサイズを直しをてもらっていた。
【先行技術文献】
【特許文献】
【０００３】
【特許文献１】  実開昭６２−１７７３０９号公報
【特許文献２】  実開昭６２−２１９１３号公報
【特許文献３】  実開平０５−００９３１４号公報
【特許文献４】  実用新案登録３００６２０３号公報
【発明の概要】
【発明が解決しようとする課題】
【０００４】  指輪の使用者が、何らかの理由で指が細り、手持ちの指輪がゆるくなって使用不可能となった場合、使用者には指輪の内径のサイズを直すことは不可能であった。
そのため、宝飾加工業者に指輪の内径のサイズ直しを依頼しなければならなかった。
また、仕事の内容によって度々指の太さが変化する人や、しばらくしなければ指の太さが元に戻らない人などはサイズ直しを躊躇し、指のサイズが回復するまで使用できない場合もあった。
また、材質によってなど、指輪そのものがサイズ直しできないものもあるため、まったく使用できず困っていた。
本発明は、以上の問題点を解決するためになされたものである。
【課題を解決するための手段】
【０００５】  指輪の内周面に接着可能な、略、半球形状、および三日月形状、および平帯形状の指輪内径サイズ調節用具を設け、人によってそれぞれ異なる隙間空間に対応すべく、何段階かのサイズを設ける。
薄手のものから厚手のもの、その中からジャストフィットするサイズを選択し、使用者が自分の手によって指輪の内周面に接着し、固定することを可能とする。
また、サイズ選択を容易にするため、指輪内径サイズ調節用具に号数文字を設けることも可能である。
さらに、微妙な調節には、用具の一部削除、または一部追加接着を可能とする。
また、そのようにして指輪を使用した後、用具が不要となった場合には、剥離剤、または刃物、または爪などで用具をはがし、指輪を傷つけることなく元に戻す。
以上の構成よりなる指輪内径サイズ調節用具。
【発明の効果】
【０００６】  従来、一般の人には不可能とされていた指輪の内径のサイズの縮小直しを、本発明の指輪内径サイズ調節用具により可能にし、誰でも、いつでも自分の手で短時間に内径のサイズを縮小し、指にジャストフィットさせることが可能となった。
結果、指輪を抜け落とす心配がなくなり、さらに宝石がついた指輪などは正常な位置に向いて定着するため、母子姉妹などで指の太さが異なる人達でも、指輪を共用して楽しめるようになった。
さらに、育ちざかりのため、指の太さが年々太くなる若者には、指輪を買い求める際、予め太めのサイズを選択しておき、指輪内径のサイズ調節用具で内径のサイズを小さくして使用を始め、指が太くなるにつれ、用具を少しずつ削除していくことで、常にジャストフィットさせることも可能となる。
また、細くなってしまった指が元に戻り用具が不要になった場合には、指輪に傷をつけずに用具を簡単に剥離し、元の指輪に戻すことができる。
以上、利便性と経済的効果をもつものである。
【図面の簡単な説明】
【０００７】
【図１】  本発明の略半球形状の側面図
【図２】  本発明の略三日月形状の側面図
【図３】  本発明の略平帯形状に蛇腹状ラインを付加した側面図
【図４】  本発明の略半球形状指輪内径サイズ調節用具を使用した指輪の側面図
【図５】  本発明の略三日月形状指輪内径サイズ調節用具を使用した指輪の側面図
【図６】  本発明の略平帯形状指輪内径サイズ調節用具を使用した指輪の側面図
【発明を実施するための形態】
【０００８】  以下、本発明の実施の形態を説明する。
（イ）本発明の略半球形状の指輪内径サイズ調節用具（１）を設ける。
（ロ）本発明の略三日月形状の指輪内径サイズ調節用具（２）を設ける。
（ハ）本発明の略平帯形状の指輪内径サイズ調節用具（３）を設ける。
本発明は以上のような構造である。
本発明を使用するときは、指輪の内周面に指輪内径サイズ調節用具（１）、または指輪内径サイズ調節用具（２）、または指輪内径サイズ調節用具（３）を必要量接着剤などで接着し、固定する。
接着部の接着には、シール、または両面テープ、または磁石、またはマニキュア、または硬化ジェル、または瞬間接着剤などの様々な接着物質が使用できる。
【符合の説明】
【０００９】  １  略半球形状指輪内径サイズ調節用具
２  略三日月形状指輪内径サイズ調節用具
３  略平帯形状指輪内径サイズ調節用具
４  指輪
【図１】
2016112369.tif 000003
【図２】
2016112369.tif 000004
【図３】
2016112369.tif 000005
【図４】
2016112369.tif 000006
【図５】
2016112369.tif 000007
【図６】
2016112369.tif 000008
(57)【要約】【課題】  書類などの物品を収納する機能を、着座の際に支障のない位置に取り付けた椅子を提供する。【解決手段】  椅子の座面１の下側に、ナイロンの網などで構成される物品収納部５を、物品収納部の開口部２が、座面１の前方に配されるように取り付ける。会議などので、スペースの関係で机が使えない場合に、この物品収納部に文書などの資料を収納しておいて、随時必要な資料のみを取り出して、手に持ったり、膝の上に置いたりして、使うことができる【選択図】図１
2016112363.tif 000002
【特許請求の範囲】
【請求項１】
座面の裏側に袋状の物品収納部を備えてなることを特徴とする椅子。
【請求項２】
折り畳み可能な構造を備えてなることを特徴とする、請求１に記載の椅子。
【発明の詳細な説明】
【技術分野】
【０００１】  本発明は、座面の裏側に書類などを収納することが可能な椅子に関わるものである。
【背景技術】
【０００２】  椅子は生活用品として、日常生活において、様々な使い方で利用されている。また、集会や会議などで一時的に、椅子を設置する必要がある際には、金属のパイプをフレームとした、折りたたみが可能な椅子が多用されている。【０００３】  また、会議などで、書類などの資料を用いることがあっても、スペースの制約で、机を椅子の前に置けない状態では、資料や筆記具を膝の上に置かざるを得ないが、資料が多い場合に椅子に適当な収納機能があれば、膝の上には、最低限の資料のみを置き、会議の議題や進行によって、膝の上に置く資料を、適宜置き換えることができる。【０００４】  このような観点から従来の椅子を概観すると、特許文献１には、座部に、座面を温めるためのカイロ収納ポケットが備えられた椅子が開示されている。しかし、ここに開示されているのは、カイロを収納するために、非着座状態で、当該カイロ収納ポケットの上側内面と下側内面とは離間している必要があったり、空気が当該カイロ収納ポケット内に供給されることが必要であったりして、構造がやや複雑となる。【０００５】  また、特許文献２には、座位を調整するためのクッション材を収納するためのクッション材を内蔵した、補助座席の座位調節機構が、開示されている。しかし、これは、前記の収納機能を発現するものではない。
【先行技術文献】
【特許文献】
【０００６】
【特許文献１】  特開２００３−２３５６７５号公報
【特許文献２】  特開２０１０−１１０４９２号公報
【発明の概要】
【発明が解決しようとする課題】
【０００７】  本発明の課題は、書類などの物品を収納する機能を、着座の際に支障のない位置に取り付けた椅子を提供することである。
【課題を解決するための手段】
【０００８】  本発明は、袋状の収納手段を、座面の下に取り付けた構造を、検討した結果なされたものである。【０００９】  即ち、本発明は、座面の裏側に袋状の物品収納部を備えてなることを特徴とする椅子である。【００１０】  また、本発明は、折り畳み可能な構造を備えてなることを特徴とする、前記の椅子である。
【発明の効果】
【００１１】  本発明の椅子は、袋状の物品収納部を備えているので、会議などので、スペースの関係で机が使えない場合などに、資料を収納しておいて、随時必要な資料のみを取り出して、手に持ったり、膝の上に置いたりして、使うことができるので、利便性が向上する。
【図面の簡単な説明】
【００１２】
【図１】  本発明に係る椅子の一例を示す斜視図。
【図２】  座面の下側に物品収納部を取り付けた状態の一例を示す図。
【発明を実施するための形態】
【００１３】  次に本発明の実施の形態を具体的な図に基づいて説明する。
【実施例】
【００１４】  図１は、本発明に係る椅子の一例を示す斜視図である。図１において、１は座面、２は物品収納部の開口部、３は椅子の脚部を構成するフレーム、４は座面を構成するフレームである。この例は、多目的ホールなどで、会議や集会が開催される際に多用される、フレームを金属パイプで構成した、折りたたみ椅子に取り付けた例である。【００１５】  また、図２は、座面の下側に物品収納部を取り付けた状態の一例を示す図である。図２において、５は物品収納部、６は物品収納部取付フレームである。ここに示した物品収納部５は、ナイロンの糸を織って得られる網を袋状に成形したものである。そして、金属やプラスチックで構成される物品収納部取付フレーム６を、座面の下面に、ネジなどの接合手段を用いて取り付けることにより、座面の下側に物品収納部５を固定できる。【００１６】  このような構成とすることで、物品収納部５既存の椅子に取り付けることも容易である。また、物品収納フレーム６を用いないで、適当な素材で構成された袋を、直接座面の下側にネジなどを用いて、直接取り付けることもできる。【００１７】  以上に説明したように、本発明によれば、座面の下側に書類などの物品を収納するための、収納部を備えた椅子を提供できる。なお、本発明は、前記実施の形態に限定されるものではなく、例えば折りたたみ構造を備えていない木製の椅子に、前記の物品収納部を取り付けるような、本発明の分野における通常の知識を有する者であれば想到し得る、各種変形、修正を含む、本発明の要旨を逸脱しない範囲の設計変更があっても、本発明に含まれることは勿論である。
【符号の説明】
【００１８】１  ・・・座面
２  ・・・物品収納部の開口部
３  ・・・椅子の脚部を構成するフレーム
４  ・・・座面を構成するフレーム
５  ・・・物品収納部
６  ・・・物品収納部取付フレーム
【図１】
2016112363.tif 000003
【図２】
2016112363.tif 000004
(57)【要約】【課題】  本発明は、今までゴルフスコアーカードはズボンの後ろポケットに入れていたが、最近のゴルファー（特にレデイース）はファッションを考えてか、カートの荷物入れの前かごにポンと置いたり、シートに挟んだりして、忘れてしまって探したり、落としたりしている人をよく見かける。荷物カゴと同じようにスッキリ収納できるスコアーカード入れを提供する。【解決の手段】  本発明はカートのポールを利用し、スコアーカード入れを、自分で取り付けスッキリプレーできるようにする。また、ティー入れバックと兼用したことを特徴とする。【選択図】図１
2016112372.tif 000002
【特許請求の範囲】
【請求項１】
ゴルフ用スコアーカードをゴルフカートのポールにマジックテープ（ボタン）で取り付けて使用する。また、ティー入れバックを兼用したカードホルダー。
【発明の詳細な説明】
【技術分野】
【０００１】  本発明はスコアーカードをズボンの後ろポケットではなく、直接カートのポールにマジックテープ、またはボタンで取り付けて出し入れがスマートにできるカードホルダーに関するものである。
【背景技術】
【０００２】  従来、スコアーカードはズボンの後ろポケットに入れて使用しているが、女性ゴルファーも増えてきた今ファッションを考え、カードをカートのあちこちに置いている人が多く荷物カゴがあるようにカード入れもカートに取り付けた方が使いやすいと考えた。
【発明の概要】
【発明が解決しようとする課題】
【０００３】  これは次のような問題点があった。スコアーカードをカートのあちこちに置いたり、シートにはさんだりして、すぐ見つからず探している人を多く見てきた。本発明は以上の事を解決するためのものである。
【課題を解決するための手段】
【０００４】  本発明はゴルフカートのポールに直接取り付け。すっきり納められ、ティー入れバックとしても利用できるものである。
【発明の効果】
【０００５】  上述のように本発明のスコアーカードを後ろポケットに入れずに、置いたところを忘れて探すことなくスムーズにマイカード入れが使用できる。またティー入れバックも兼ねる事もできる。
【発明を実施するための最良の形態】
【０００６】  以下、本発明の実施例について説明する。
カードホルダーにマジックテープ、またはボタンを取り付け、カートのポールにしっかりと取り付ける。カートに置いたままでプレー後カートにすわって探す事無くすぐ取り出して記入がスムーズにできる。ティー入れバッグとしても使えるので管理しやすい。
材質はコーテング済みの布か、レザー製か、ビニール製にして雨に強いものにする。
【実施例】
【０００７】  以下、添付図面に従って、実施例を説明する。
１は使用例、２．３は個人用、２〜４人用の図である。
【図面の簡単な説明】
【０００８】
【図１】  本発明の使用時の図である。
【図２】  本発明の本体で個人用の表面と後ろ面からみたものである。
【図３】  本発明の２人用、４人用の使用時の図である。
【符号の説明】
【０００９】１      取り付けマジックテープ（ボタン）部分
２      ティー入れバックの入り口ファスナー部分
３      鉛筆差し
４      ティー差し
【図１】
2016112372.tif 000003
【図２】
2016112372.tif 000004
【図３】
2016112372.tif 000005
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
ゴルフカートのポールに直接取り付け可能で、且つ、前記ポールから着脱自在に構成した取り付け部分を備えたことを特徴とするゴルフ用スコアカードホルダー。
【請求項２】
前記取り付け部分を，面ファスナーとしたことを特徴とする請求項１に記載したゴルフ用スコアカードホルダー。
【請求項３】
ティ入れバックも兼ねていることを特徴とした請求項１、又は、請求項２に記載したゴルフ用スコアカードホルダー。
【手続補正２】
【補正対象書類名】明細書
【補正対象項目名】全文
【補正方法】変更
【補正の内容】
【発明の詳細な説明】
【技術分野】
【０００１】  本発明はスコアカードをズボンの後ろポケットではなく、直接カートのポールに、面ファスナー、又はボタンで取り付けて出し入れがスマートにできるカードホルダーに関するものである。
【背景技術】
【０００２】  従来、スコアカードはスボンの後ろポケットに入れて使用しているが、女性ゴルファーも増えてきた今ファッションを考え、カードをカートのあちこちに置いている人が多く荷物カゴがあるようにカード入れもカートに取り付けた方が使いやすいと考えた。
【発明の概要】
【発明が解決しようとする課題】
【０００３】  これは次のような問題点があった。スコアカードをカートのあちこちに置いたり、シートにはさんだりして、すぐ見つからず探している人を多く見てきた。本発明は以上の事を解決するためのものである。
【課題を解決するための手段】
【０００４】  本発明はゴルフカートのポールに直接取り付け、すっきり収められ、ティ入れバックとしても利用できるものである。
【発明の効果】
【０００５】  上述のように本発明のスコアカードカードを後ろポケットに入れずに、置いたところを忘れて探すことなくスムーズにマイカード入れが使用できる。またティー入れバックも兼ねる事もできる。
【発明を実施するための最良の形態】
【０００６】  以下、本発明の実施例について説明する。
カードホルダーに面ファスナー、又はボタンを取り付け、カートのポールにしっかりと取り付ける。カートに置いたままでプレー後カートにすわって探す事なくすぐ取り出して記入がスムーズにできる。ティ入れバックとしても使えるので管理しやすい。
材質はコーティング済みの布製、レザー製、ビニール製など雨に強いものにする。
【実施例】
【０００７】  以下、添付図面に従って、実施例を説明する。
図１は使用例、図２は個人用、図３は２，４人用の図である。
【図面の簡単な説明】
【０００８】
【図１】      本発明の使用時の図である。
【図２】      本発明の本体で個人用の表面と後ろ面からみたものである。
【図３】      本発明の２人用、４人用の使用時の図である。
【符号の説明】１        取り付け面ファスナー、または、ボタン部分。
２        ティ入れバックの入り口ファスナー部分。
３        鉛筆差し
４        ティ差し
【手続補正３】
【補正対象書類名】図面
【補正対象項目名】図２
【補正方法】変更
【補正の内容】
【図２】
2016112372.tif 000006
(57)【要約】【課題】一つのシンプルな道具でナイフと鋏の両方の作業が連続した操作で達成することができる。【解決手段】第一の鋏部材と、この第一の鋏部材に枢着された第二の鋏部材とから構成され、この第一の鋏部材と第二の鋏部材はそれぞれ柄と切刃部から構成され、第一の鋏部材の切刃部と第二の鋏部材の切刃部は対応する位置にそれぞれ鋏刃部を有し、第一の鋏部材の鋏刃部の延長上にナイフ刃部を有していることを特徴とする突っ切り鋏であり、ナイフ刃部で紙等に孔を開口し鋏刃部で切り開くことができる。【選択図】図１
2016112373.tif 000002
【特許請求の範囲】
【請求項１】
第一の鋏部材と、この第一の鋏部材に枢着された第二の鋏部材とから構成され、この第一の鋏部材と第二の鋏部材はそれぞれ柄と切刃部から構成され、第一の鋏部材の切刃部と第二の鋏部材の切刃部は対応する位置にそれぞれ鋏刃部を有し、第一の鋏部材の鋏刃部の延長上にナイフ刃部を有していることを特徴とする突っ切り鋏。
【請求項２】
請求項１のナイフ刃部の刃先を槍状としたことを特徴とする突っ切り鋏。
【発明の詳細な説明】
【技術分野】
【０００１】  この発明は、ナイフとしても鋏としても使用できる鋏に関する。
【背景技術】
【０００２】  従来、紙等のシート状態材料に貫通口を開けるにはナイフが有効であり、端部から切断する場合は鋏が有効であった。このため、それぞれの作業が混在する場合はナイフと鋏の両方が必要であった。
【先行技術文献】
【特許文献】
【０００３】
【特許文献１】実用新案登録第３００４１２８号
【発明の概要】
【発明が解決しようとする課題】
【０００４】  特許文献１の技術は、従来の鋏の片方の刃の先端近傍にスライド式のナイフを付設し、必要に応じナイフの刃を出没させるものである。しかしながら、この技術ではナイフとその支持構造物が出っ張り、重くなるので使い難いという問題があった。
【課題を解決するための手段】
【０００５】  第一の鋏部材と、この第一の鋏部材に枢着された第二の鋏部材とから構成され、この第一の鋏部材と第二の鋏部材はそれぞれ柄と切刃部から構成され、第一の鋏部材の切刃部と第二の鋏部材の切刃部は対応する位置にそれぞれ鋏刃部を有し、第一の鋏部材の鋏刃部の延長上にナイフ刃部を有していることを特徴とする突っ切り鋏である。
【発明の効果】
【０００６】  この発明では、上記の問題点を解決し、一つのシンプルな道具でナイフと鋏の両方の作業を連続した操作で達成することができる。
【図面の簡単な説明】
【０００７】
【図１】第一の実施例の突っ切り鋏の開いた状態を示す平面図である。
【図２】第一の実施例の突っ切り鋏の閉じた状態を示す平面図である。
【図３】第一の実施例の突っ切り鋏を使用する状態を示す平面図である。
【図４】第一の実施例の突っ切り鋏を使用する他の状態を示す平面図である。
【図５】第二の実施例の突っ切り鋏の開いた状態を示す平面図である。
【図６】第三の実施例の突っ切り鋏の開いた状態を示す平面図である。
【図７】第一の実施例の六面図を示す。
【発明を実施するための形態】
【０００８】  第一の鋏部材と、この第一の鋏部材に枢着された第二の鋏部材とから構成され、この第一の鋏部材と第二の鋏部材はそれぞれ柄と切刃部から構成され、第一の鋏部材の切刃部と第二の鋏部材の切刃部は対応する位置にそれぞれ鋏刃部を有し、第一の鋏部材の鋏刃部の延長上にナイフ刃部を有していることを特徴とする突っ切り鋏である。
上記のナイフ刃部の刃先を槍状としたことを特徴とする突っ切り鋏である。
【実施例】
【０００９】  図１、図２により第一の実施例を説明する。この実施例の突っ切り鋏１０は、第一の鋏部材２０と、この第一の鋏部材２０にヒンジ４０により枢着された第二の鋏部材３０とから構成されている。第一の鋏部材２０と第二の鋏部材３０はそれぞれ柄２１、３１と切刃部２２、３２から構成されている。第一の鋏部材２０の切刃部２２と第二の鋏部材３０の切刃部３２は対応する位置にそれぞれ鋏刃部２７、３３を有している。第一の鋏部材２０の鋏刃部２７の延長上にナイフ刃部２６が設けられている。【００１０】  図３により、この実施例の突っ切り鋏１０を使用する方法を説明する。例えば段ボール６０の端部からでなく、中央部に孔を開けたい場合は、まずＡのようにナイフ刃部２６を段ボール６０に突き刺す。この操作は鋏１０を閉じた状態で行えるので鋏の刃で怪我をする危険性を少なくできる。次に、Ｂのように鋏１０を開いて鋏刃部２７、３３で段ボール６０をカットすることができる。この操作は、前の操作と連続的に効率的に行うことができる。また、鋏１０の根元に近い部分でカットできるので、段ボールのような厚い材料でも容易にカットすることができる。【００１１】  図４により他の使用方法を説明する。袋５０は、ふりかけ等の食品用の袋であり、周囲がシール５１で密封されおり、開封後は開封部近傍に設けられたファスナー５２により開閉できるようにしてある。通常は、カット線に沿ってカットされるのであるが、カットされた後はカット線で表裏のシートが密着して開きにくいという問題があった。【００１２】  この実施例では、Ａのようにまず肩部を鋏刃部２７、３３で斜めにカットし、Ｂのように、この切り口からナイフ刃部２６を挿入してナイフ刃部２６でナイフのようにしてカットすることができる。、切った後は、Ｃのように表裏のシートの片方が切れ他方が残るので、開封がし易くなる利点がある。【００１３】  図５により、第二の実施例を説明する。この実施例では、刃先２４が槍状になっているので、固いシートでも突き刺し易いという効果がある。安全のため、保護カバー７０を設けている。
図６は第三の実施例であり、安全のため刃先２４に丸みを持たせ、非切刃部２５を設けたものである。ナイフと鋏としては利用するが、突っ切りは使用しない場合有用である。
【産業上の利用可能性】
【００１４】  この発明の突っ切り鋏は、紙等のシート状の材料の内側に穴を開けて開口部を設けるのに有用であり、ファスナー付きの袋の開封また通常の鋏としても利用可能である。
【符号の説明】
【００１５】１０は突っ切り鋏
２０は第一の鋏材
２１は柄
２２は切刃部
２３は刃
２４は刃先
２５は非切れ刃部
２６はナイフ刃部
２７は鋏刃部
３０は第二の鋏材
３１は柄
３２は切刃部
３３は鋏刃部
３４は刃先
４０はヒンジ
５０は袋
５１はシール
５２はファスナー
６０は段ボール
７０は保護カバー
【図１】
2016112373.tif 000003
【図２】
2016112373.tif 000004
【図３】
2016112373.tif 000005
【図４】
2016112373.tif 000006
【図５】
2016112373.tif 000007
【図６】
2016112373.tif 000008
【図７】
2016112373.tif 000009
(57)【要約】【課題】ボールペンやサインペン等のクリップを調節して、浅いポケットでも深いポケットでもクリップが嵌るようにする。【解決手段】筆記具と、筆記具本体またはキャップに嵌合するクリップから構成される筆記具クリップであり、このクリップは弾力性を有するクリップ胴と、このクリップ胴から延在するレバーと、このレバーの先端の押え部とから構成され、このクリップが筆記具本体に嵌合して摺動可能である筆記具クリップであり、クリップを摺動して係止位置を調整することができる。【選択図】図１
2016112875.tif 000002
【特許請求の範囲】
【請求項１】
筆記具と、筆記具本体またはキャップに嵌合するクリップから構成される筆記具クリップであり、このクリップは弾力性を有するクリップ胴と、このクリップ胴から延在するレバーと、このレバーの先端の押え部とから構成され、このクリップが筆記具本体に嵌合して摺動可能である筆記具クリップ。
【請求項２】
請求項１の筆記具クリップにクリップの抜け止めのストッパーを設けたことを特徴とする筆記具クリップ。
【発明の詳細な説明】
【技術分野】
【０００１】  この発明は、ポケット等に差して持ち運びできるボールペンやサインペン等の筆記具クリップに関する。
【背景技術】
【０００２】  従来、ボールペンやサインペン等を上着やバッグのポケットに差して留めるため、特許文献１のようにクリップが設けられていた。
【先行技術文献】
【特許文献】
【０００３】
【特許文献１】実用新案公開平６−５７６９２号
【発明の概要】
【発明が解決しようとする課題】
【０００４】  しかしながら、シャツのポケット等は浅くてクリップが嵌らない場合があった。このため、筆記具が落下して紛失してしまう問題があった。
【課題を解決するための手段】
【０００５】  筆記具と、筆記具本体またはキャップに嵌合するクリップから構成される筆記具クリップであり、このクリップは弾力性を有するクリップ胴と、このクリップ胴から延在するレバーと、このレバーの先端の押え部とから構成され、このクリップが筆記具本体に嵌合して摺動可能である筆記具クリップである。
【発明の効果】
【０００６】  この発明では、上記の問題点を解決し、浅いポケットでも深いポケットでもクリップが嵌るようにすることができる。
【図面の簡単な説明】
【０００７】
【図１】第一の実施例の筆記具クリップのクリップが上部にあるときの側面図である。
【図２】第一の実施例の筆記具クリップのクリップを下げたときの側面図である。
【図３】第一の実施例の筆記具クリップのクリップの斜視図である。
【図４】第二の実施例の筆記具クリップのキャップを嵌めたときの側面図である。
【図５】第二の実施例の筆記具クリップのキャップを外して頭部に嵌めたときの側面図である。
【図６】第三の実施例の筆記具クリップの側面図である。
【図７】第四の実施例の筆記具クリップの側面図である。
【図８】第四の実施例の筆記具クリップのクリップの斜視図である。
【発明を実施するための形態】
【０００８】  筆記具と、筆記具本体またはキャップに嵌合するクリップから構成される筆記具クリップであり、このクリップは弾力性を有するクリップ胴と、このクリップ胴から延在するレバーと、このレバーの先端の押え部とから構成され、このクリップが筆記具本体に嵌合して摺動可能である筆記具クリップである。
上記の筆記具クリップにクリップの抜け止めのストッパーを設けたことを特徴とする筆記具クリップである。
【実施例】
【０００９】  図１、図２、図３により第一の実施例を説明する。この実施例の筆記具クリップ１０は、筆記具本体２０とキャップ３０からなる筆記具と、これに嵌合するクリップ４０から構成される。クリップ４０は円環状の弾力性を有するクリップ胴４１と、クリップ胴４１から延在するレバー４２と、レバー４２の先端の押え部４３とから構成されている。【００１０】  クリップ胴４１は金属またはプラスチックのように弾力性のある材料で形成され、一部にスリット４１Ａが設けられている。筆記具本体２０とキャップ３０の外形は同一の直径を有し、この直径はクリップ胴４１の内径より若干大きく形成されている。クリップ胴４１は弾力性があるので、筆記具本体２０とキャップ３０を適宜圧迫して嵌合し、摺動可能であり、適宜位置に係留可能である。【００１１】  第一のストッパー５１が、キャップ３０の上端近傍に、第二のストッパー５２がそれより下方に設けられている。第一のストッパー５１と第二のストッパー５２の外径は筆記具本体２０とキャップ３０の外径よりやや大きく形成されている。このため、クリップ４０が不用意に抜けてしまうのを防止することができる。【００１２】  図４、図５は第二の実施例の筆記具クリップ１０であり、クリップ４０をキャップ３０の反対側に設けたものである。キャップ３０の形状の自由度が大きい特徴がある。図４は、収納時の状態であり、図５は筆記時の状態を示す。
図６は第三の実施例であり、ノック式の筆記具の場合を示す。キャップが不要であるので、構造が簡単である。【００１３】  図７、図８は第四の実施例であり、クリップ４０に二本の筆記具を留めるようにしたものである。
【産業上の利用可能性】
【００１４】  この発明の筆記具クリップは、ボールペンやサインペン等の筆記具を留めるクリップに利用可能である。
【符号の説明】
【００１５】１０は筆記具
２０は筆記具本体
３０はキャップ
４０はクリップ
４１はクリップ胴
４１Ａはスリット
４２はレバー
４３は押え部
５０はストッパー
５１は第一のストッパー
５２は第二のストッパー
【図１】
2016112875.tif 000003
【図２】
2016112875.tif 000004
【図３】
2016112875.tif 000005
【図４】
2016112875.tif 000006
【図５】
2016112875.tif 000007
【図６】
2016112875.tif 000008
【図７】
2016112875.tif 000009
【図８】
2016112875.tif 000010
(57)【要約】【課題】背中に手で塗る場合、薬を一人で手の感覚で塗れる事を解決しようとするものである。【解決手段】今現在、市販されている材質はゴム状の弾力性を有する平板上の材料で作られており同じ量の薬を塗った場合材質、形状によって塗り広がりの面積が肌との摩擦面積が大きいので、厚く不均一で塗れてしまうが、本考案の材質は、釉を有するガラス質で曲面を持った俵型の陶磁器製で同じ量の薬を塗った場合、陶磁器の表面が滑らかなため、肌との摩擦が少なく薬が薄く均一に塗り広げられる事が出来る。  材質を陶磁器に変えたことにより薬を均一に広げられる。また形状が俵型であるため薬が少量ですむ。  焼き物にしたことにより加飾ができる。【選択図】図１
2016112098.tif 000002
【特許請求の範囲】
【請求項１】
シャフトの一端に設けられ、上部が開放された連結穴が形成された中空の連結具と、
頭部が俵型に形成され、脚部が前記連結具の連結穴に挿入されるヘッドと、
を有することを特徴とする一人背中薬品塗り器。
【請求項２】
前記ヘッドの脚部を覆い、前記連結具の連結穴に着脱自在に挿入可能なキャップが取り付けられていることを特徴とする請求項１記載の一人背中薬品塗り器。
【請求項３】
前記ヘッドの材質は、陶磁器であることを特徴とする請求項１又は２記載の一人背中薬品塗り器。
【発明の詳細な説明】
【技術分野】
【０００１】
本発明は、手の届かない所に塗り薬を付けることに関するものである。
【背景技術】
【０００２】
一人で背中に薬を塗る時、手の届かない所が発生していた。
【先行技術文献】
【特許文献】
【０００３】
【特許文献１】特開２０１０−１３７０３５号公報
【発明の概要】
【発明が解決しようとする課題】
【０００４】
背中に手で薬を塗る場合、手が届きにくい場所を塗るのは誰かに頼むことで解決するが何回も頼むことは、気が引けるし、相手の迷惑も考えてしまう。従って届かない所に薬を一人で手の感覚で塗れることを解決しようとするものである。
【課題を解決するための手段】
【０００５】
今現在、市販されている材質はゴム状の弾力性を有する平板上の材料で作られており同じ量の薬を塗った場合材質、形状によって塗り広がりの面積が肌との摩擦面積が大きいので、厚く不均一で塗れてしまうが、本考案の材質は、釉を有するガラス質で曲面を持った俵型の陶磁器製で同じ量の薬を塗った場合、陶磁器の表面が滑らかなため、肌との摩擦が少なく薬が薄く均一に塗り広げられる事が出来る。
【発明の効果】
【０００６】
材質を陶磁器に変えたことにより薬を均一に広げられる。また形状が俵型であるため薬が少量ですむ。
【図面の簡単な説明】
【０００７】
【図１】図１は、一人背中薬品塗り器の斜視図である。
【図２】図２はヘッド２にキャップ３を装着し、連結具５の連結穴４に固定する。
【図３】図３は、ヘッド２にキャップ３を装着した時の正面図である。
【図４】図４は、図３の断面図である。２aはヘッド２とキャップ３の連結部（脚部）である。
【発明を実施するための形態】
【０００８】
図１に示すように、一人背中薬品塗り器１のシャフト６の部分に連結具５が設けられており、そこに陶磁器製のヘッド２が着けられるようになっている。
【０００９】
図２に示すように、一人背中薬品塗り器のシャフト６部分に連結具５とヘッド２とキャップ３が連結穴４にはめ込まれている。
【００１０】
図３に示すように、キャップ３を介してヘッド２と連結具５が設けられており、連結具５に陶磁器製のヘッド２がはめ込み式になっている。
【００１１】
図４に示すように、ヘッド２をキャップ３に固定する方法としてヘッド２の２a部に突起がありキャップ３の突起と合わさっている。
【００１２】
実施例において、シャフト６は形状として似た板や棒状の柄を用いる事が出来る。
【００１３】
本発明の実施の形態に係る一人背中薬品塗り器１は、シャフト６の一端に設けられ、上部が開放された連結穴４が形成された中空の連結具５と、頭部が俵型に形成され、脚部２ａが連結具５の連結穴４に挿入されるヘッド２と、を有する。また、ヘッド２の脚部を覆い、連結具５の連結穴４に着脱自在に挿入可能なキャップ３が取り付けられている。
【００１４】
ヘッド２の頭部は俵型を呈し、キャップ３が取り付けられる脚部２ａと頭部との間はくびれ状を呈していることから、くびれ部分を把持してキャップ付きヘッドを連結具５から引き抜くことができる。薬品は頭部に塗布され、くびれ部分には塗布されないことから、手を汚すことなくヘッド２を着脱自在にしている。
【００１５】
また、ヘッド２の脚部２ａにキャップ３を取り付けて連結する際、ヘッド２側及び／又はキャップ３側に空気抜け用の孔を設けることで、空気圧による影響を少なくしており、図４ではヘッド２の脚部２ａを開放端とすることにより空気抜け用の孔を形成している。
【００１６】
さらに、連結具５とヘッド２又はキャップ３とを取り付けて連結する際、連結具５側及び／又はヘッド２側又はキャップ３側に空気抜け用の孔（図示せず）を設けることで、空気圧による影響を少なくすることができる。
【符号の説明】
【００１７】
１    一人背中薬品塗り器
２    ヘッド
３    キャップ
４    連結穴
５    連結具
６    シャフト
【図１】
2016112098.tif 000003
【図２】
2016112098.tif 000004
【図３】
2016112098.tif 000005
【図４】
2016112098.tif 000006
(57)【要約】      （修正有）【課題】市販の商品（菓子類）等を餌に使用するネズミ駆除の殺そ剤チューブ容器を提供する。【解決手段】餌に穴あけ付蓋２で穴をあけ、殺そ剤チューブ容器１の先を穴の中に入れ、クリーム状の殺そ剤を注入する。【選択図】図１
2016112008.tif 000002
【特許請求の範囲】
【請求項１】
殺そ剤チューブ容器（１）のキャップに穴のあけられるラセン状の物を付け１体とした穴あけ付蓋（２）を装着した穴あけ付殺そ剤チューブ容器。
【発明の詳細な説明】
【発明の詳細な説明】
【技術分野】
【０００１】この発明は、容器の蓋にラセン状の穴あけを付けた穴あけ付殺そ剤チューブ容器に関するものである。
【背景技術】
【０００２】従来、ネズミの通り道や部屋などの隅に設置する１枚物のネズミ捕り粘着シートや、金網を使って中に餌を仕掛け誘き寄せ、餌を食べると入口の網フタが閉じる仕組みのネズミ捕りや食材と毒物を混ぜ合せた固形の餌はあった。
【発明が解決しようとする課題】
【０００３】これは次のような欠点があった。
（イ）  １枚物の粘着シートは直接ネズミの目に触れ、まだ知恵がついてない子ネズミは捕れますが、親ネズミはネズミ本来の警戒心が強く知恵のある生き物なので、親ネズミを駆除することが大変難しかった。
（ロ）  カゴの形で入口があり、中に餌があってもネズミは警戒心が強いので中に入らないため、親ネズミを駆除することが難しかった。
（ハ）  ネズミを駆除する毒物がありますが、殺そ剤と食材を混ぜ合せた固形のためネズミの好む味ではないので駆除することが難しかった。
本発明は、これらの欠点を除くためになされたものである。
【課題を解決するための手段】
【０００４】殺そ剤チューブ容器（１）に付いている穴あけ付蓋（２）を取り外して、蓋部分を持ってラセン状の先を餌にあて回しながら穴をあける。
本発明は、以上のような構成よりなる穴あけ付殺そ剤チューブ容器である。
【発明を実施するための形態】
【０００５】以下、本発明の実施の形態について説明する。
（イ）  殺そ剤チューブ容器（１）についている穴あけ付蓋（２）を取り外す。
（ロ）  蓋についているラセン状の部分で餌に穴をあける。
（ハ）  殺そ剤チューブ容器の先を穴の中に入れクリーム状の殺そ剤（３）を注入する。
本発明は以上のような構成で、これを使用するときは、殺そ剤チューブ容器（１）に付いている穴あけ付蓋（２）を取り外して市販で売られているネズミが好む商品（菓子類）等を餌にして、穴あけ付蓋（２）に付いているラセン状の先を餌にあてがい、かるく押えながら時計回りに回す事でラセン状になっているので穴があいていき、１〜１．５ｃｍ位の深さで止めて逆回転しながら２〜３回出し入れを繰り返し、残粉等を取り除きます。
殺そ剤チューブ容器（１）の先を穴の中に入れ、人差し指と親指で容器をつまみクリーム状の殺そ剤（３）を注入しながら徐々に抜き穴一杯手前で止め、穴をあけた時の残粉等をふりかけてやれば殺そ剤がクリーム状なので餌にくっつき、ネズミに気づかれずに食べてくれるので、ネズミを駆除する事ができる。
【発明の効果】
【０００６】ネズミは習性、警戒心、知恵がある生き物なので、市販の商品（菓子類）等を餌に使用する事で、色々な好みを持ったネズミにも対応ができ、殺そ剤を餌の中に入れるため、ネズミから見て、見た目も味も変わらないので毒餌と気づかず食べてくれて駆除が出来る確率が極めて高くなる。
【図面の簡単な説明】
【図１】本発明の斜視図である。
【図２】本発明の一部を切り欠いた側面図である。
【図３】本発明の他の実施例を示す斜視図である。
【符号の説明】１  チューブ容器
２  穴あけ付蓋
３  クリーム状殺そ剤（容器内）
【図１】
2016112008.tif 000003
【図２】
2016112008.tif 000004
【図３】
2016112008.tif 000005
(57)【要約】【課題】本発明は卓上で浅漬けを漬けるための重しに関する。簡易卓上浅漬け用重しとして考案したもので、家庭にあるポリ袋に漬物の材料と好みの調味料を少々入れて軽く袋の外側から揉み、袋の上部を絞り重しの中央の穴から引き出してしばらく置いて出来上がりとしたものです。【解決手段】円盤状であり、中央に穴があいていることを特徴とする卓上浅漬け用重し。【選択図】図１
2016112003.tif 000002
【特許請求の範囲】
【請求項１】
円盤状であり、中央に穴が開いていることを特徴とする卓上浅漬け用重し。
【請求項２】
さらに前期中央の穴に嵌めることが可能なつまみを有することを特徴とする請求項１に記載の卓上浅漬け用重し。
【発明の詳細な説明】
【技術分野】
【０００１】    本発明は卓上で浅漬けを漬けるための重しに関し具材の分量によってポリ袋を上下に加減できる。
塩分の調整も可能となり、健康的で経済的なものとなる。
【背景技術】
【０００２】    今までの卓上漬物容器として、ばねの力などで、野菜に力を加えて漬物を作るものなどがあった。
【発明概要】
【発明が解決しようとする課題】
【０００３】従来の容器は大きくかさばるので、使い辛かった。又、少量を漬けるのにも向いていないものであった。
【課題を解決する為の手段】
【０００４】上記課題を解決する為に出願人は以下の発明を完成させた。
本発明の重しは転がらない（衛生的）円盤状であり、中央に穴が開いていることを特徴とする卓上浅漬け用重しであり、さらに前記中央の穴に嵌めることが可能なつまみを有することを特徴とする卓上浅漬け用重しである。
【発明の効果】
【０００５】  少量、又残り野菜等を無駄なく利用でき、容器が嵩張らないため冷蔵庫に入れて置く利便性もある。
重しの裏側からつまみを引き出すことにより、生豆腐等の水切りにも利用できる。椎茸等のような乾物類は袋の中に水を入れることで万遍無くすばやく水に戻すことが出来る。
【図面の簡単な説明】
【０００６】
【図１】本発明の重しの正面図である。
【図２】本発明の重しの斜視図である。
【図３】本発明の重しの背面図である。
【図４】本発明の重しを使用した状態を表す図である。
【図５】本発明のつまみを表した図である。
【図６】本発明の重しとつまみを組み合わせた状態を表す図である。
【発明を実施するための形態】
【０００７】  極めて単純な発想ながら卓上浅漬け用重しである。
漬物の材料をポリ袋に入れる。好みの調味料なりを入れる。軽く袋の外から揉む。袋の先端部を中央の穴に通して上部に引き出して調整してしばらく置いて出来上がりとしたものである。嵩張らないので、冷蔵庫に入れておける。
以下の図面を参照しながら詳細に説明する。
図１に示すように本発明の重しは一種類しか描いていないが材料の分量に合わせて多少の大・中・小の差をつけたものを考えている。
本体は無地で地味な為、表面に図柄を配したいと願っている。
図２に示すように重し全体の周囲に角を入れて転がり防止をし、歯車状の突起を配した形状でも良い。
図３に示すように重し全体の裏側に円に添って溝を入れた形状でも良い。
これは横すべり防止の機能を有するものである。
浅い溝を入れるのが好ましい。
図４に示すように溝は浅漬けの作り方を文章で書く。
図５に示すように重し中央の穴に嵌めることが出来るつまみを用いても良い。
本つまみを使用することにより、重しを持ち上げやすくなるので、漬物の他に例えば豆腐の水切り等の重しとしても利用可能である。
つまみは図６に示すような状態で重しに嵌めて使用する。
【符号の説明】
【０００８】  １  卓上浅漬け用重し              ６  つまみ
２  穴                            ７  係止部
３  角部                          ８  野菜
４  溝                            ９  ポリ袋
５  嵌合部
【図１】
2016112003.tif 000003
【図２】
2016112003.tif 000004
【図３】
2016112003.tif 000005
【図５】
2016112003.tif 000006
【図５】
2016112003.tif 000007
【図６】
2016112003.tif 000008
【手続補正書】
【提出日】平成27年2月17日(2015.2.17)
【手続補正１】
【補正対象書類名】図面
【補正対象項目名】全図
【補正方法】変更
【補正の内容】
【図１】
2016112003.tif 000009
【図２】
2016112003.tif 000010
【図３】
2016112003.tif 000011
【図４】
2016112003.tif 000012
【図５】
2016112003.tif 000013
【図６】
2016112003.tif 000014